(57)【特許請求の範囲】
【請求項１】
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記各読み出し回路とを駆動させて前記画像データの読み出し処理を行わせる制御手段と、
を備える放射線画像撮影装置と、
前記放射線画像撮影装置に放射線を照射する放射線源を制御する放射線発生装置と、
を備え、
前記放射線画像撮影装置の前記制御手段は、
前記放射線源から放射線の照射が開始されたことを検出するように構成されており、
かつ、放射線の照射が開始されたことを検出すると、放射線の照射開始を検出したことを報知する報知手段を備えていることを特徴とする放射線画像撮影システム。
【請求項２】
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記各読み出し回路とを駆動させて前記画像データの読み出し処理を行わせる制御手段と、
外部装置に前記画像データを送信するための通信手段と、
を備える放射線画像撮影装置と、
前記放射線画像撮影装置に放射線を照射する放射線源を制御する放射線発生装置と、
報知手段を備える報知装置と、
を備え、
前記放射線画像撮影装置の前記制御手段は、
前記放射線源から放射線の照射が開始されたことを検出するように構成されており、
かつ、放射線の照射が開始されたことを検出すると、前記報知装置に放射線の照射開始を検出したことを表す検出信号を送信し、
前記報知装置は、前記放射線画像撮影装置からの前記検出信号を受信すると、前記報知手段を介して、前記放射線画像撮影装置により放射線の照射が開始されたことを検出したことを報知することを特徴とする放射線画像撮影システム。
【請求項３】
前記放射線画像撮影装置の前記制御手段は、放射線画像撮影前に、前記走査駆動手段から前記各走査線にオフ電圧を印加して前記各スイッチ手段をオフ状態とした状態で前記各スイッチ手段を介して前記各放射線検出素子からリークした前記電荷をリークデータに変換するリークデータの読み出し処理を行わせ、読み出した前記リークデータが閾値を越えた時点で放射線の照射が開始されたことを検出することを特徴とする請求項１または請求項２に記載の放射線画像撮影システム。
【請求項４】
前記放射線画像撮影装置の前記制御手段は、放射線画像撮影前に、前記リークデータの読み出し処理と、前記走査駆動手段から前記各走査線にオン電圧を順次印加して前記各放射線検出素子に残存する電荷を前記信号線に放出させる前記各放射線検出素子のリセット処理とを交互に行わせることを特徴とする請求項３に記載の放射線画像撮影システム。
【請求項５】
前記放射線画像撮影装置の前記制御手段は、放射線画像撮影前に、前記走査駆動手段から前記各走査線にオン電圧を順次印加して前記各放射線検出素子から照射開始検出用の画像データの読み出し処理を行わせ、読み出した前記画像データが閾値を越えた時点で放射線の照射が開始されたことを検出することを特徴とする請求項１または請求項２に記載の放射線画像撮影システム。
【請求項６】
前記放射線画像撮影装置に対して、放射線の照射が開始されたことを検出する検出処理を開始することを指示する指示信号を送信可能な指示信号送信手段を備え、
前記放射線画像撮影装置は、前記指示信号を受信する前は、前記各放射線検出素子のリセット処理を行い、前記指示信号を受信すると、前記検出処理に移行することを特徴とする請求項１から請求項５のいずれか一項に記載の放射線画像撮影システム。
【請求項７】
前記放射線画像撮影装置に対して、行っている処理を停止することを指示するキャンセル信号を送信可能なキャンセル信号送信手段を備え、
前記放射線画像撮影装置は、前記キャンセル信号を受信すると、その時点で行っている処理を停止して、前記各放射線検出素子のリセット処理を行う状態に戻ることを特徴とする請求項１から請求項６のいずれか一項に記載の放射線画像撮影システム。
【請求項８】
前記放射線画像撮影装置は、前記各放射線検出素子のリセット処理を行う状態に戻るとともに、それまでの処理で得られたデータがある場合には当該データを破棄することを特徴とする請求項７に記載の放射線画像撮影システム。
【請求項９】
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記各読み出し回路とを駆動させて前記画像データの読み出し処理を行わせる制御手段と、
を備え、
前記制御手段は、
前記放射線源から放射線の照射が開始されたことを検出するように構成されており、
かつ、放射線の照射が開始されたことを検出すると、放射線の照射開始を検出したことを報知する報知手段を備えていることを特徴とする放射線画像撮影装置。
【発明の詳細な説明】
【技術分野】
【０００１】
本発明は、放射線画像撮影システムおよび放射線画像撮影装置に係り、特に、放射線の照射開始を検出可能な放射線画像撮影装置およびそれを備える放射線画像撮影システムに関する。
【背景技術】
【０００２】
照射されたＸ線等の放射線の線量に応じて検出素子で電荷を発生させて電気信号に変換するいわゆる直接型の放射線画像撮影装置や、照射された放射線をシンチレーター等で可視光等の他の波長の電磁波に変換した後、変換され照射された電磁波のエネルギーに応じてフォトダイオード等の光電変換素子で電荷を発生させて電気信号（すなわち画像データ）に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台（或いはブッキー装置）と一体的に形成されていたが（例えば特許文献１参照）、近年、放射線検出素子等をハウジングに収納し、持ち運び可能とした可搬型の放射線画像撮影装置が開発され、実用化されている（例えば特許文献２、３参照）。
【０００４】
このような放射線画像撮影装置では、例えば後述する図５等に示すように、通常、複数の放射線検出素子７が、検出部Ｐ上に二次元状（マトリクス状）に配列され、各放射線検出素子７にそれぞれ薄膜トランジスター（Thin Film Transistor。以下、ＴＦＴという。）８で形成されたスイッチ手段が接続されて構成される。
【０００５】
そして、放射線画像撮影が行われる際には、走査駆動手段１５のゲートドライバー１５ｂ（後述する図５参照）から各走査線５にオフ電圧が印加され、各ＴＦＴ８がオフ状態とされて、電荷蓄積状態に移行する。そして、この状態で、放射線源から放射線画像撮影装置に被写体を介して放射線が照射される。すると、放射線の照射により放射線画像撮影装置の各放射線検出素子７内で電荷が発生して各放射線検出素子７内にそれぞれ蓄積される。
【０００６】
そして、放射線の照射後、ゲートドライバー１５ｂから各走査線５にオン電圧が順次印加されて、各放射線検出素子７から電荷が読み出され、読み出し回路１７で電荷が電荷電圧変換されて画像データＤとして読み出される。放射線画像撮影装置では、このようにして各放射線検出素子７から画像データＤが読み出される。
【０００７】
このような放射線画像撮影を実現する方法としては、従来から、放射線画像撮影装置に放射線を照射する放射線源を備える放射線発生装置と、放射線画像撮影装置との間で信号等のやり取りを行いながら両者が連携して撮影を行うように構成される場合が多かった。
【０００８】
この場合、放射線技師が、放射線発生装置の曝射スイッチを操作すると、放射線発生装置から放射線画像撮影装置に照射開始信号が送信され、放射線画像撮影装置は、それまで行っていた例えば各放射線検出素子７のリセット処理を停止して、上記のように、走査駆動手段１５のゲートドライバー１５ｂから各走査線５にオフ電圧を印加して、各ＴＦＴ８をオフ状態とする。
【０００９】
そして、放射線画像撮影装置から放射線発生装置にインターロック解除信号が送信されると、放射線画像撮影装置の放射線源から放射線画像撮影装置に放射線が照射される。すると、上記のように、放射線の照射により放射線画像撮影装置の各放射線検出素子７内で電荷が発生し、その後、各放射線検出素子７からこれらの電荷が画像データＤとして読み出される。
【００１０】
しかし、放射線画像撮影装置と放射線発生装置の製造元が同じであれば、上記のようにして放射線画像撮影装置と放射線発生装置との間で信号や情報等のやり取りを行いながら撮影を行うようにシステムを構築することが可能であるが、両者の製造元が異なっているような場合には、両者の間で信号等のやり取りを必ずしも的確に行うことができない場合がある。
【００１１】
そのため、このような場合には、放射線画像撮影装置が、放射線発生装置からの信号等によらず、自ら放射線の照射が開始されたことを検出することが必要となる。そして、例えば特許文献４に記載された検出方法や、後述する本発明者らによって新たに見出された検出方法によって、放射線画像撮影装置自体で放射線の照射開始を検出することが可能である。
【先行技術文献】
【特許文献】
【００１２】
【特許文献１】特開平９−７３１４４号公報
【特許文献２】特開２００６−０５８１２４号公報
【特許文献３】特開平６−３４２０９９号公報
【特許文献４】特開２００９−２１９５３８号公報
【発明の概要】
【発明が解決しようとする課題】
【００１３】
しかしながら、上記のような検出方法では、通常、放射線が照射されると放射線画像撮影装置内で読み出されるデータや電流値等の値が大きくなることを利用して放射線の照射が開始されたことを検出するように構成されるが、その一方で、本発明者らの研究によれば、放射線画像撮影装置に何らかの衝撃や圧力が加わると、上記のデータや電流値等の値が大きくなることが分かってきた。
【００１４】
そのため、上記のように、放射線画像撮影装置における放射線の照射開始の検出処理時に、放射線画像撮影装置に衝撃や圧力が加わると、放射線画像撮影装置に対して放射線が照射されていないにもかかわらず、放射線の照射が開始されたと判断されて誤検出が生じる場合がある。
【００１５】
また、放射線画像撮影装置では、放射線の照射開始を検出すると、上記のように、電荷蓄積状態への移行や画像データＤの読み出し処理、およびその後のオフセットデータＯの読み出し処理や画像データＤ等の送信処理等が自動的に行われるように構成されている場合が少なくない。
【００１６】
そのような場合に、上記のような誤検出が生じると、放射線画像撮影装置では、自動的に電荷蓄積状態への移行や画像データＤの読み出し処理等が行われるが、放射線画像撮影装置がそのような処理を行っていることを知らない放射線技師が放射線画像撮影装置に放射線を照射させると、読み出される画像データＤは、被写体が撮影されていないか、或いは異常な画像が撮影されているものにしかならない。
【００１７】
そのため、このような場合、通常、再撮影が必要になり、被写体である患者の身体に再度放射線を照射することが必要になる。そのため、被写体である患者の身体への被曝線量が増大してしまうといった問題が生じる虞れがあった。
【００１８】
そして、それを回避するためには、放射線画像撮影装置に対して放射線を照射させようとしている放射線画像技師が、放射線画像撮影装置が誤検出したことを認識することができるように構成されることが望まれる。このように構成すれば、放射線技師は、誤検出を認識して、このまま放射線を照射しても正常な画像データＤを得ることができない状態にある放射線画像撮影装置に対して放射線を照射することを回避することになる。
【００１９】
本発明は、上記の問題点を鑑みてなされたものであり、放射線の非照射時に放射線画像撮影装置が放射線の照射開始を誤検出した場合に、放射線技師がそのような放射線画像撮影装置に対して放射線を照射することを的確に回避することが可能な放射線画像撮影システムおよび放射線画像撮影装置を提供することを目的とする。
【００２０】
そして、放射線画像撮影装置が誤検出したことを認識した放射線技師が、放射線画像撮影装置における各処理を停止させ、放射線の照射開始の検出処理に戻すように構成すれば、放射線画像撮影装置が電荷蓄積状態への移行や画像データＤの読み出し処理、オフセットデータＯの読み出し処理等の各処理を終了するまで待たずに、次の撮影動作に移ることが可能となれば、放射線画像撮影の一連の処理を速やかに終了させることが可能となる。
【００２１】
そのため、放射線画像撮影システムや放射線画像撮影装置が放射線技師にとって使い勝手がよいものとなるとともに、被写体である患者にとっても次の撮影まで長い時間待つ必要がなくなるため、患者にかかる負担を軽減することが可能となる。
【００２２】
そこで、本発明は、放射線画像撮影装置が放射線の照射開始を誤検出した場合に、速やかに放射線の照射開始の検出処理を行う状態に戻すことが可能な放射線画像撮影システムおよび放射線画像撮影装置を提供することをも目的とする。
【課題を解決するための手段】
【００２３】
前記の問題を解決するために、本発明の放射線画像撮影システムや放射線画像撮影装置は、
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記各読み出し回路とを駆動させて前記画像データの読み出し処理を行わせる制御手段と、
を備える放射線画像撮影装置と、
前記放射線画像撮影装置に放射線を照射する放射線源を制御する放射線発生装置と、
を備え、
前記放射線画像撮影装置の前記制御手段は、
前記放射線源から放射線の照射が開始されたことを検出するように構成されており、
かつ、放射線の照射が開始されたことを検出すると、放射線の照射開始を検出したことを報知する報知手段を備えていることを特徴とする。
【００２４】
また、本発明の放射線画像撮影システムは、
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記各読み出し回路とを駆動させて前記画像データの読み出し処理を行わせる制御手段と、
外部装置に前記画像データを送信するための通信手段と、
を備える放射線画像撮影装置と、
前記放射線画像撮影装置に放射線を照射する放射線源を制御する放射線発生装置と、
報知手段を備える報知装置と、
を備え、
前記放射線画像撮影装置の前記制御手段は、
前記放射線源から放射線の照射が開始されたことを検出するように構成されており、
かつ、放射線の照射が開始されたことを検出すると、前記報知装置に放射線の照射開始を検出したことを表す検出信号を送信し、
前記報知装置は、前記放射線画像撮影装置からの前記検出信号を受信すると、前記報知手段を介して、前記放射線画像撮影装置により放射線の照射が開始されたことを検出したことを報知することを特徴とする。
【発明の効果】
【００２５】
本発明のような方式の放射線画像撮影システムおよび放射線画像撮影装置によれば、放射線技師は、放射線画像撮影装置に対して放射線を照射させたために放射線画像撮影装置が放射線の照射開始を検出したのか（すなわち正常な検出）、或いは、放射線を照射していないにもかかわらず放射線画像撮影装置が放射線の照射開始を検出したのか（すなわち誤検出）を的確に認識することが可能となる。
【００２６】
そして、放射線技師が、放射線画像撮影装置が放射線の非照射時に放射線の照射開始を誤検出したと判断した場合に、そのような放射線画像撮影装置に対して放射線を照射しないようにすることで、誤検出に基づいて各処理を行っている放射線画像撮影装置に対して放射線が照射されることを的確に回避することが可能となる。
【００２７】
また、そのため、誤検出に基づいて各処理を行っている放射線画像撮影装置に対して放射線を照射しても再撮影が必要になり、再度、放射線が照射されることにより、被写体である患者の身体への被曝線量が増大することを的確に防止することが可能となる。
【００２８】
さらに、放射線画像撮影装置が放射線の照射開始を誤検出した場合に、放射線画像撮影装置における各処理を停止させ、速やかに放射線の照射開始の検出処理に戻すように構成することで、誤検出により放射線画像撮影装置で行われる各処理が終了するまで待たずに、次の撮影動作に移ることが可能となる。そのため、放射線画像撮影の一連の処理を速やかに終了させることが可能となるとともに、被写体である患者にとっても次の撮影まで長い時間待つ必要がなくなるため、患者にかかる負担を軽減することが可能となる。
【図面の簡単な説明】
【００２９】
【図１】本実施形態に係る放射線画像撮影装置の外観を示す斜視図である。
【図２】図１におけるＸ−Ｘ線に沿う断面図である。
【図３】放射線画像撮影装置のコネクターにケーブルのコネクターを接続した状態を表す斜視図である。
【図４】放射線画像撮影装置の基板の構成を示す平面図である。
【図５】図４の基板上の小領域に形成された放射線検出素子とＴＦＴ等の構成を示す拡大図である。
【図６】（Ａ）フレキシブル回路基板やＰＣＢ基板等が取り付けられた基板を説明する側面図であり、（Ｂ）基板の裏面側におけるフレキシブル回路基板の接続部の拡大断面図である。
【図７】放射線画像撮影装置の等価回路を表すブロック図である。
【図８】検出部を構成する１画素分についての等価回路を表すブロック図である。
【図９】各放射線検出素子のリセット処理における電荷リセット用スイッチやＴＦＴのオン／オフのタイミングを表すタイミングチャートである。
【図１０】画像データの読み出し処理における電荷リセット用スイッチ、パルス信号、ＴＦＴのオン／オフのタイミングを表すタイミングチャートである。
【図１１】撮影室等に構築された本実施形態に係る放射線画像撮影システムの構成例を示す図である。
【図１２】回診車上に構築された本実施形態に係る放射線画像撮影システムの構成例を示す図である。
【図１３】ＴＦＴを介して各放射線検出素子からリークした各電荷がリークデータとして読み出されることを説明する図である。
【図１４】リークデータの読み出し処理における電荷リセット用スイッチやＴＦＴのオン／オフのタイミングを表すタイミングチャートである。
【図１５】放射線画像撮影前にリークデータの読み出し処理と各放射線検出素子のリセット処理を交互に行うように構成した場合の電荷リセット用スイッチ、パルス信号、ＴＦＴのオン／オフのタイミングを表すタイミングチャートである。
【図１６】検出方法１において各走査線にオン電圧を印加するタイミング等を説明するタイミングチャートである。
【図１７】読み出されるリークデータの時間的推移の例を表すグラフである。
【図１８】検出方法２において放射線画像撮影前に照射開始検出用の画像データの読み出し処理が繰り返し行われる際の各走査線にオン電圧を順次印加するタイミングを表すタイミングチャートである。
【図１９】放射線画像撮影前の照射開始検出用の画像データの読み出し処理における電荷リセット用スイッチ、パルス信号、ＴＦＴのオン／オフのタイミングおよびオン時間ΔＴを表すタイミングチャートである。
【図２０】検出方法２において各走査線にオン電圧を印加するタイミング等を説明するタイミングチャートである。
【図２１】検出部が４つの領域に分割され、各領域に読み出しＩＣがそれぞれ割り当てられた状態を表す図である。
【図２２】短周期のリセット処理において各走査線にオン電圧を印加するタイミングを説明するタイミングチャートである。
【図２３】携帯端末とコンソールと放射線画像撮影装置との間で行われる通信やデータの送信等のシーケンスの例を表すシーケンス図である。
【図２４】図１２の放射線画像撮影システムにおいて放射線技師が携帯端末を携帯する状態を表す図である。
【発明を実施するための形態】
【００３０】
以下、本発明に係る放射線画像撮影システムおよび放射線画像撮影装置の実施の形態について、図面を参照して説明する。
【００３１】
なお、以下では、放射線画像撮影装置として、シンチレーター等を備え、放射された放射線を可視光等の他の波長の電磁波に変換して電気信号を得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００３２】
［放射線画像撮影装置］
以下、まず、本実施形態に係る放射線画像撮影装置の構成等について説明する。図１は、本実施形態に係る放射線画像撮影装置の外観を示す斜視図であり、図２は、図１のＸ−Ｘ線に沿う断面図である。放射線画像撮影装置１は、図１や図２に示すように、筐体２内にシンチレーター３や基板４等で構成されるセンサーパネルＳＰが収納されている。
【００３３】
本実施形態では、筐体２のうち、放射線入射面Ｒを有する中空の角筒状の筐体本体部２Ａは、放射線を透過するカーボン板やプラスチック等の材料で形成されており、筐体本体部２Ａの両側の開口部を蓋部材２Ｂ、２Ｃで閉塞することで筐体２が形成されている。また、筐体２の一方側の蓋部材２Ｂには、電源スイッチ３７や切替スイッチ３８、コネクター３９、バッテリー状態や放射線画像撮影装置１の稼働状態等を表示するＬＥＤ等で構成されたインジケーター４０等が配置されている。
【００３４】
本実施形態では、コネクター３９は、例えば図３に示すように、ケーブルＣａの先端に設けられたコネクターＣが接続されることにより、例えば外部のコンソール５８（後述する図１１や図１２参照）等の装置との間でケーブルＣａを介して信号等を送受信したり画像データＤ等を送信したりする際の有線方式の通信手段として機能するようになっている。
【００３５】
また、図示を省略するが、例えば筐体２の反対側の蓋部材２Ｃ等に、アンテナ装置４１（後述する図７参照）が例えば蓋部材２Ｃに埋め込む等して設けられており、本実施形態では、このアンテナ装置４１が、放射線画像撮影装置１とコンソール５８等との間で信号等の無線方式で送受信する場合の通信手段として機能するようになっている。
【００３６】
図２に示すように、筐体２の内部には、基板４の下方側に、放射線を遮蔽する鉛等の遮蔽板（図２では図示省略。後述する図６（Ｂ）における遮蔽板４２参照）を介して基台３１が配置され、基台３１には、電子部品３２等が配設されたＰＣＢ基板３３やバッテリー２４等が取り付けられている。また、基板４やシンチレーター３の放射線入射面Ｒには、それらを保護するためのガラス基板３４が配設されている。また、本実施形態では、センサーパネルＳＰと筐体２の側面との間に緩衝材３５が設けられている。
【００３７】
シンチレーター３は、基板４の後述する検出部Ｐに対向する位置に設けられるようになっている。本実施形態では、シンチレーター３は、例えば、蛍光体を主成分とし、放射線の入射を受けると３００〜８００ｎｍの波長の電磁波、すなわち可視光を中心とした電磁波に変換して出力するものが用いられる。
【００３８】
また、本実施形態では、基板４は、ガラス基板で構成されており、図４に示すように、基板４のシンチレーター３に対向する側の面４ａ上には、複数の走査線５と複数の信号線６とが互いに交差するように配設されている。また、基板４の面４ａ上の複数の走査線５と複数の信号線６により区画された各小領域ｒには、放射線検出素子７がそれぞれ設けられている。
【００３９】
このように、走査線５と信号線６で区画された各小領域ｒに二次元状に配列された複数の放射線検出素子７が設けられた小領域ｒの全体、すなわち図４に一点鎖線で示される領域が検出部Ｐとされている。
【００４０】
放射線検出素子７は、放射線画像撮影装置１の筐体２の放射線入射面Ｒから放射線が入射し、シンチレーター３で放射線から変換された可視光等の電磁波が照射されると、その内部で電子正孔対を発生させる。放射線検出素子７は、このようにして、照射された放射線（本実施形態ではシンチレーター３で放射線から変換された電磁波）を電荷に変換するようになっている。
【００４１】
本実施形態では、放射線検出素子７としてフォトダイオードが用いられているが、この他にも例えばフォトトランジスター等を用いることも可能である。各放射線検出素子７は、図４の拡大図である図５に示すように、スイッチ手段であるＴＦＴ８のソース電極８ｓに接続されている。また、ＴＦＴ８のドレイン電極８ｄは信号線６に接続されている。
【００４２】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を蓄積させるようになっている。
【００４３】
本実施形態では、図５に示すように、それぞれ列状に配置された複数の放射線検出素子７に１本のバイアス線９が接続されており、図４に示すように、各バイアス線９はそれぞれ信号線６に平行に配設されている。また、各バイアス線９は、基板４の検出部Ｐの外側の位置で結線１０に結束されている。
【００４４】
図４に示すように、本実施形態では、各走査線５や各信号線６、バイアス線９の結線１０は、それぞれ基板４の端縁部付近に設けられた入出力端子（パッドともいう。）１１に接続されている。
【００４５】
各入出力端子１１には、図６（Ａ）に示すように、後述する読み出しＩＣ１６や走査駆動手段１５のゲートドライバー１５ｂを構成するゲートＩＣ１５ｃ等のチップがフィルム上に組み込まれたフレキシブル回路基板（Chip On Film等ともいう。）１２が、異方性導電接着フィルム（Anisotropic Conductive Film）や異方性導電ペースト（Anisotropic Conductive Paste）等の異方性導電性接着材料１３を介して接続されている。
【００４６】
そして、フレキシブル回路基板１２は、基板４の裏面４ｂ側に引き回され、裏面４ｂ側で前述したＰＣＢ基板３３に接続されるようになっている。このようにして、放射線画像撮影装置１のセンサーパネルＳＰが形成されている。なお、図６（Ａ）では、電子部品３２等の図示が省略されている。
【００４７】
図６（Ｂ）に、センサーパネルＳＰの基板４の裏面４ｂ側におけるフレキシブル回路基板１２の接続部の拡大断面図を示す。放射線画像撮影装置によっては、図６（Ｂ）に示すように、基板４と基台３１との間に介在する鉛等の遮蔽板４２が基板４等の端部まで延設されておらず、基板４の端部部分では、基板４と基台３１との間が空隙とされていたり、接着剤４３が充填されている構造とされている場合がある。
【００４８】
このような構成では、放射線画像撮影装置１の放射線入射面Ｒ（図１や図２等参照）から放射線が入射した場合、放射線が、遮蔽板４２により遮蔽されず、基板４や基台３１等を透過して、フレキシブル回路基板１２に組み込まれた読み出しＩＣ１６やゲートＩＣ１５ｃ等のチップに照射される。
【００４９】
本発明者らの研究では、特に、放射線画像撮影が繰り返されてゲートＩＣ１５ｃに対する放射線の照射が繰り返されると、経年的にゲートＩＣ１５ｃが劣化し、劣化したゲートＩＣ１５ｃに接続されている各走査線５にそれぞれ接続されている各放射線検出素子７から読み出される画像データＤ等にある程度のオフセット値が重畳される状態になることが分かっている。
【００５０】
このように、各放射線検出素子７から読み出される画像データＤにオフセット値が重畳されても、後述するように、放射線画像撮影装置１では、各放射線検出素子７ごとにオフセットデータＯが読み出され、これらのオフセットデータＯにも同じオフセット値が重畳される。
【００５１】
そのため、後述するように、各放射線検出素子７ごとに画像データＤからオフセットデータＯを減算して真の画像データＤ＊を算出すれば、画像データＤ中とオフセットデータＯ中のオフセット値が相殺されるため、真の画像データＤ＊中にはこのオフセット値が重畳されていない状態になる。そのため、画像データＤ等に基づいて放射線画像Ｉを生成する際には、ゲートＩＣ１５ｃの劣化によりデータにオフセット値が重畳されてもあまり問題にはならない。
【００５２】
しかし、後述するように、本実施形態では、放射線画像撮影装置１自体で放射線の照射が開始されたことを検出するように構成されており、その際、放射線画像撮影前に、リークデータｄleak（後述する検出方法１参照）等の読み出し処理を行うように構成される。そして、読み出したリークデータｄleak等が閾値ｄleak_th等を越えた場合に、放射線の照射が開始されたことを検出するように構成される。
【００５３】
その際に、上記のように、読み出されるリークデータｄleakや照射開始検出用の画像データｄに、ゲートＩＣ１５ｃの劣化によるオフセット値が重畳されてしまうと、読み出されたリークデータｄleak等がゆらいだ場合に閾値ｄleak_thを越え易くなり、放射線画像撮影装置１に放射線が照射されていないにもかかわらず放射線の照射開始を誤検出し易くなるといった問題が生じる。
【００５４】
そこで、本実施形態では、図６（Ｂ）に示すように、本実施形態では緩衝材４４を介してセンサーパネルＳＰの基台３１の裏面に取り付けられる、電子部品３２等が配設されたＰＣＢ基板３３に鉛等の遮蔽板４５を設けるようになっている。
【００５５】
本実施形態では、ＰＣＢ基板３３は、リジッド基板３３ａ上（この場合の「上」は図６（Ｂ）における下方を指す。）に回路等が設けられた内層３３ｂが形成され、内層３３ｂ上にレジスト層３３ｃが形成され、レジスト層３３ｃに電子部品３２や入出力端子３３ｄ、図示しない配線パターン等が配設されている。そして、本実施形態では、ＰＣＢ基板３３側の各入出力端子３３ｄに対しても、上記の基板４上に形成された各入出力端子１１（図６（Ａ）参照）に接続する場合と同様にして、フレキシブル回路基板１２が接続されている。
【００５６】
そして、その際、遮蔽板４５は、フレキシブル回路基板１２上の少なくともゲートＩＣ１５ｃに放射線が到達しないように遮蔽することが可能なＰＣＢ基板３３の位置に設けられるようになっている。本実施形態では、図６（Ｂ）に示すように、遮蔽板４５は、ＰＣＢ基板３３のリジッド基板３３ａとレジスト層３３ｃとの間に介在する内層３３ｂと同一の層に設けられている。
【００５７】
このように、ＰＣＢ基板３３に遮蔽板４５を設けることにより、放射線が繰り返し照射されることによりゲートＩＣ１５ｃが経年劣化することを的確に防止することが可能となる。そのため、後述する検出方法１や検出方法２等を採用して放射線画像撮影装置１自体で放射線の照射開始を検出するように構成する場合に、上記のようにしてゲートＩＣ１５ｃの経年劣化により放射線の照射開始を誤検出し易くなる事態が生じることを的確に防止することが可能となる。
【００５８】
また、このように、ＰＣＢ基板３３に遮蔽板４５を設けることにより、例えば上記のようにセンサーパネルＳＰの基板４の端部まで鉛等の遮蔽板４２が延設されておらず、フレキシブル回路基板１２上のゲートＩＣ１５ｃに、照射された放射線が到達してしまうように構成されている場合でも、基板４や基台３１等に、遮蔽板４５が設けられたＰＣＢ基板３３を取り付けるだけでゲートＩＣ１５ｃを放射線から的確に遮蔽することが可能となり、ゲートＩＣ１５ｃの遮蔽を簡単かつ的確に行うことが可能となる。
【００５９】
なお、フレキシブル回路基板１２上の読み出しＩＣ１６（図６（Ａ）等参照）に対しても、放射線が到達しないように遮蔽するＰＣＢ基板３３の位置に遮蔽板４５を設けるように構成することが可能である。このように構成すれば、ゲートＩＣ１５ｃの場合と同様に、読み出しＩＣ１６の放射線による経年劣化も防止することが可能となる。
【００６０】
また、図６（Ｂ）では、遮蔽板４５を、ＰＣＢ基板３３のリジッド基板３３ａとレジスト層３３ｃとの間に介在する内層３３ｂと同一の層に設ける場合を示したが、この他にも、例えばリジッド基板３３ａやレジスト層３３ｃと同一の層に設けたり、或いはリジッド基板３３ａの基台３１側の面上や、レジスト層３３ｃの電子機器３２が設けられた側の面上、或いは、リジッド基板３３ａ中やレジスト層３３ｃ中に埋め込むようにして設けるように構成することも可能である。
【００６１】
ここで、放射線画像撮影装置１の回路構成について説明する。図７は本実施形態に係る放射線画像撮影装置１の等価回路を表すブロック図であり、図８は検出部Ｐを構成する１画素分についての等価回路を表すブロック図である。
【００６２】
前述したように、基板４の検出部Ｐの各放射線検出素子７は、その第２電極７ｂにそれぞれバイアス線９が接続されており、各バイアス線９は結線１０に結束されてバイアス電源１４に接続されている。バイアス電源１４は、結線１０および各バイアス線９を介して各放射線検出素子７の第２電極７ｂにそれぞれ逆バイアス電圧（すなわち放射線検出素子７の第１電極７ａ側にかかる電圧以下の電圧）を印加するようになっている。
【００６３】
走査駆動手段１５は、配線１５ｄを介してゲートドライバー１５ｂにオン電圧とオフ電圧を供給する電源回路１５ａと、走査線５の各ラインＬ１〜Ｌｘに印加する電圧をオン電圧とオフ電圧の間で切り替えて各ＴＦＴ８のオン状態とオフ状態とを切り替えるゲートドライバー１５ｂとを備えている。本実施形態では、ゲートドライバー１５ｂは、複数の前述したゲートＩＣ１５ｃ（図６参照）が並設されて構成されている。
【００６４】
図７や図８に示すように、各信号線６は、読み出しＩＣ１６内に内蔵された各読み出し回路１７にそれぞれ接続されている。読み出し回路１７は、増幅回路１８と相関二重サンプリング回路１９等で構成されている。読み出しＩＣ１６内には、さらに、アナログマルチプレクサー２１と、Ａ／Ｄ変換器２０とが設けられている。なお、図７や図８中では、相関二重サンプリング回路１９はＣＤＳと表記されている。また、図８中では、アナログマルチプレクサー２１は省略されている。
【００６５】
本実施形態では、増幅回路１８は、オペアンプ１８ａと、オペアンプ１８ａにそれぞれ並列にコンデンサー１８ｂおよび電荷リセット用スイッチ１８ｃが接続され、オペアンプ１８ａ等に電力を供給する電源供給部１８ｄを備えたチャージアンプ回路で構成されている。また、増幅回路１８のオペアンプ１８ａの入力側の反転入力端子には信号線６が接続されており、増幅回路１８の入力側の非反転入力端子には基準電位Ｖ０が印加されるようになっている。
【００６６】
また、増幅回路１８の電荷リセット用スイッチ１８ｃは、制御手段２２に接続されており、制御手段２２によりオン／オフが制御されるようになっている。また、オペアンプ１８ａと相関二重サンプリング回路１９との間には、電荷リセット用スイッチ１８ｃと連動して開閉するスイッチ１８ｅが設けられており、スイッチ１８ｅは、電荷リセット用スイッチ１８ｃがオン／オフ動作と連動してオフ／オン動作するようになっている。
【００６７】
放射線画像撮影装置１で、各放射線検出素子７内に残存する電荷を除去するための各放射線検出素子７のリセット処理を行う際には、図９に示すように、電荷リセット用スイッチ１８ｃがオン状態（およびスイッチ１８ｅがオフ状態）とされた状態で、各ＴＦＴ８がオン状態とされる。
【００６８】
そして、オン状態とされた各ＴＦＴ８を介して各放射線検出素子７から電荷が信号線６に放出され、増幅回路１８の電荷リセット用スイッチ１８ｃを通過して、オペアンプ１８ａの出力端子側からオペアンプ１８ａ内を通り、非反転入力端子から出てアースされたり、電源供給部１８ｄに流れ出す。このようにして、各放射線検出素子７のリセット処理が行われるようになっている。
【００６９】
一方、各放射線検出素子７からの画像データＤの読み出し処理の際には、図１０に示すように、増幅回路１８の電荷リセット用スイッチ１８ｃがオフ状態（およびスイッチ１８ｅがオン状態）とされた状態で、オン状態とされた各ＴＦＴ８を介して各放射線検出素子７から電荷が信号線６に放出されると、電荷が増幅回路１８のコンデンサー１８ｂに蓄積される。
【００７０】
増幅回路１８では、コンデンサー１８ｂに蓄積された電荷量に応じた電圧値がオペアンプ１８ａの出力側から出力されるようになっており、増幅回路１８により、各放射線検出素子７から流出した電荷が電荷電圧変換されるようになっている。
【００７１】
そして、増幅回路１８の出力側に設けられた相関二重サンプリング回路（ＣＤＳ）１９は、各放射線検出素子７から電荷が流出する前に制御手段２２からパルス信号Ｓｐ１（図１０参照）が送信されると、その時点で増幅回路１８から出力されている電圧値Ｖinを保持し、上記のように各放射線検出素子７から流出した電荷が増幅回路１８のコンデンサー１８ｂに蓄積された後で、制御手段２２からパルス信号Ｓｐ２が送信されると、その時点で増幅回路１８から出力されている電圧値Ｖfiを保持する。
【００７２】
そして、相関二重サンプリング回路１９は、それらの電圧値の差分Ｖfi−Ｖinを算出し、算出した差分Ｖfi−Ｖinをアナログ値の画像データＤとして下流側に出力するようになっている。そして、相関二重サンプリング回路１９から出力された各放射線検出素子７の画像データＤは、アナログマルチプレクサー２１を介して順次Ａ／Ｄ変換器２０に送信され、Ａ／Ｄ変換器２０で順次デジタル値の画像データＤに変換されて記憶手段２３に出力されて順次保存されるようになっている。
【００７３】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等により構成されている。専用の制御回路で構成されていてもよい。
【００７４】
そして、制御手段２２は、放射線画像撮影装置１の各部材の動作等を制御するようになっている。また、図７等に示すように、制御手段２２には、ＳＲＡＭ（Static ＲＡＭ）やＳＤＲＡＭ（Synchronous ＤＲＡＭ）等で構成される記憶手段２３が接続されている。
【００７５】
また、本実施形態では、制御手段２２には、前述したアンテナ装置４１が接続されており、さらに、検出部Ｐや走査駆動手段１５、読み出し回路１７、記憶手段２３、バイアス電源１４等の各部材に電力を供給するためのバッテリー２４が接続されている。また、バッテリー２４には、図示しない充電装置からバッテリー２４に電力を供給してバッテリー２４を充電する際の接続端子２５が取り付けられている。
【００７６】
そして、前述したように、制御手段２２は、走査駆動手段１５や読み出し回路１７等を制御して画像データＤの読み出し処理や各放射線検出素子７のリセット処理等を行わせるなど、放射線画像撮影装置１の各機能部の動作を制御するようになっている。
【００７７】
なお、本実施形態では、放射線画像撮影装置１は、装置自体で放射線の照射開始を検出するようになっているが、そのための制御構成等については、本実施形態に係る放射線画像撮影システムの構成等を説明した後で説明する。
【００７８】
［放射線画像撮影システム］
次に、本実施形態に係る放射線画像撮影システム５０について説明する。図１１は、本実施形態に係る放射線画像撮影システム５０の構成例を示す図である。図１１では、放射線画像撮影システム５０が撮影室Ｒ１内等に構築されている場合が示されている。
【００７９】
撮影室Ｒ１には、ブッキー装置５１が設置されており、ブッキー装置５１は、そのカセッテ保持部（カセッテホルダともいう。）５１ａに上記の放射線画像撮影装置１を装填して用いることができるようになっている。なお、図１１では、ブッキー装置５１として、立位撮影用のブッキー装置５１Ａと臥位撮影用のブッキー装置５１Ｂが設置されている場合が示されているが、例えば一方のブッキー装置５１のみが設けられていてもよい。
【００８０】
図１１に示すように、撮影室Ｒ１には、被写体を介してブッキー装置５１に装填された放射線画像撮影装置１に放射線を照射する放射線源５２Ａが少なくとも１つ設けられている。本実施形態では、放射線源５２Ａの位置を移動させたり、放射線の照射方向を変えることで、立位撮影用のブッキー装置５１Ａと臥位撮影用のブッキー装置５１Ｂのいずれにも放射線を照射することができるようになっている。
【００８１】
撮影室Ｒ１には、撮影室Ｒ１内の各装置等や撮影室Ｒ１外の各装置等の間の通信等を中継するための中継器（基地局等ともいう。）５４が設けられている。なお、本実施形態では、中継器５４には、放射線画像撮影装置１が無線方式で画像データＤや信号等の送受信を行うことができるように、無線アンテナ（アクセスポイントともいう。）５３が設けられている。
【００８２】
また、中継器５４は、放射線発生装置５５やコンソール５８と接続されており、中継器５４には、放射線画像撮影装置１やコンソール５８等から放射線発生装置５５に送信するＬＡＮ（Local Area Network）通信用の信号等を放射線発生装置５５用の信号等に変換し、また、その逆の変換も行う図示しない変換器が内蔵されている。
【００８３】
前室（操作室等ともいう。）Ｒ２には、本実施形態では、放射線発生装置５５の操作卓５７が設けられており、操作卓５７には、曝射スイッチ５６が設けられている。そして、放射線技師等の操作者が曝射スイッチ５６を操作することにより、放射線発生装置５５が放射線源５２から放射線を照射するようになっている。
【００８４】
また、放射線発生装置５５は、放射線源５２を所定の位置に移動させたり、その放射方向を調整したり、放射線画像撮影装置１の所定の領域内に放射線が照射されるように図示しない絞りやコリメーター等を調整したり、或いは、適切な線量の放射線が照射されるように放射線源５２を調整する等の種々の制御を行うようになっている。
【００８５】
図１１に示すように、本実施形態では、コンピューター等で構成されたコンソール５８が前室Ｒ２に設けられている。なお、コンソール５８を撮影室Ｒ１や前室Ｒ２の外側や別室等に設けるように構成することも可能であり、適宜の場所に設置される。
【００８６】
また、コンソール５８には、ＣＲＴ（Cathode Ray Tube）やＬＣＤ（Liquid Crystal Display）等を備えて構成される表示部５８ａが設けられており、また、図示しないマウスやキーボード等の入力手段やスピーカー等の報知手段等を備えている。また、コンソール５８には、ＨＤＤ（Hard  Disk Drive）等で構成された記憶手段５９が接続され、或いは内蔵されている。
【００８７】
一方、放射線画像撮影装置１は、図１２に示すように、ブッキー装置５１には装填されずに、いわば単独の状態で用いることもできるようになっている。例えば、患者Ｈが病室Ｒ３のベッドＢから起き上がれず、撮影室Ｒ１に行くことができないような場合には、図１２に示すように、放射線画像撮影装置１を病室Ｒ３内に持ち込み、ベッドＢと患者の身体との間に差し込んだり患者の身体にあてがったりして用いることができる。
【００８８】
また、放射線画像撮影装置１を病室Ｒ３等で用いる場合、前述した撮影室Ｒ１に据え付けられた放射線発生装置５５に代えて、図１２に示すように、いわゆるポータブルの放射線発生装置５５が例えば回診車７１に搭載される等して病室Ｒ３に持ち込まれる。
【００８９】
この場合、ポータブルの放射線発生装置５５の放射線５２Ｐは、任意の方向に放射線を照射できるように構成されており、ベッドＢと患者の身体との間に差し込まれたり患者の身体にあてがわれたりした放射線画像撮影装置１に対して、適切な距離や方向から放射線を照射することができるようになっている。
【００９０】
また、この場合、無線アンテナ５３が設けられた中継器５４が放射線発生装置５５内に内蔵されており、上記と同様に、中継器５４が放射線発生装置５５とコンソール５８との間の通信や、放射線画像撮影装置１とコンソール５８との間の通信や画像データＤの送信等を中継するようになっている。
【００９１】
なお、図１１に示したように、放射線画像撮影装置１を、撮影室Ｒ１の臥位撮影用のブッキー装置５１Ｂ上に横臥した患者の身体と臥位撮影用のブッキー装置５１Ｂとの間に差し込んだり、臥位撮影用のブッキー装置５１Ｂ上で患者の身体にあてがったりして用いることも可能であり、その場合は、ポータブルの放射線５２Ｐや、撮影室Ｒ１に据え付けられた放射線源５２Ａのいずれを用いることも可能である。
【００９２】
本実施形態では、コンソール５８は、放射線画像撮影装置１からプレビュー画像用のデータが送信されてくると、それに基づいてプレビュー画像を生成して表示部５８ａ上に表示させるようになっている。そして、放射線技師はこのプレビュー画像を確認することで、被写体が正常な位置に撮影されているか否かや再撮影の要否等を判断するようになっている。
【００９３】
また、本実施形態では、コンソール５８は画像処理装置としても機能するようになっており、放射線画像撮影装置１から画像データＤ等が送信されてくると、画像データＤ等に基づいて真の画像データＤ＊を算出し、算出した真の画像データＤ＊に対してゲイン補正処理や欠陥画素補正、撮影部位に応じた階調処理等の精密な画像処理を行って、最終的な放射線画像Ｉを生成するようになっている。
【００９４】
［放射線画像撮影装置における放射線の照射開始の検出の制御構成について］
次に、上記のように構成された放射線画像撮影装置１における放射線の照射開始の検出処理の制御構成について説明する。
【００９５】
本実施形態では、前述したように、放射線画像撮影装置１自体で、放射線発生装置５５の放射線源５２（図１１や図１２参照）から放射線が照射されたことを検出するようになっている。以下、本実施形態に係る放射線画像撮影装置１で行われる放射線の照射開始の検出の仕方について説明する。
【００９６】
なお、以下の検出方法は、本発明者らの研究により新たに見出された検出方法であり、例えば、下記の２つの検出方法のいずれかを採用することが可能である。
【００９７】
［検出方法１］
例えば、放射線画像撮影において放射線画像撮影装置１に放射線が照射される前に、リークデータｄleakの読み出し処理を繰り返し行うように構成することも可能である。ここで、リークデータｄleakとは、図１３に示すように、各走査線５にオフ電圧を印加した状態で、オフ状態になっている各ＴＦＴ８を介して各放射線検出素子７からリークする電荷ｑの信号線６ごとの合計値に相当するデータである。
【００９８】
そして、リークデータｄleakの読み出し処理では、図９に示した各放射線検出素子７のリセット処理や図１０に示した画像データＤの読み出し処理の場合と異なり、図１４に示すように、走査線５の各ラインＬ１〜Ｌｘにオフ電圧を印加して各ＴＦＴ８をオフ状態とした状態で、制御手段２２から各読み出し回路１７の相関二重サンプリング回路１９（図７や図８のＣＤＳ参照）にパルス信号Ｓｐ１、Ｓｐ２を送信するようになっている。
【００９９】
相関二重サンプリング回路１９は、制御手段２２からパルス信号Ｓｐ１が送信されると、その時点で増幅回路１８から出力されている電圧値Ｖinを保持する。そして、増幅回路１８のコンデンサー１８ｂに各ＴＦＴ８を介して各放射線検出素子７からリークする電荷ｑが蓄積されて増幅回路１８から出力される電圧値が上昇し、制御手段２２からパルス信号Ｓｐ２が送信されると、相関二重サンプリング回路１９は、その時点で増幅回路１８から出力されている電圧値Ｖfiを保持する。
【０１００】
そして、相関二重サンプリング回路１９が電圧値の差分Ｖfi−Ｖinを算出して出力した値が、リークデータｄleakとなる。リークデータｄleakが、その後、Ａ／Ｄ変換器２０でデジタル値に変換されることは、前述した画像データＤの読み出し処理の場合と同様である。
【０１０１】
ところで、リークデータｄleakの読み出し処理のみを繰り返し行うように構成すると、各ＴＦＴ８がオフ状態のままとなってしまい、各放射線検出素子７内で発生した暗電荷が各放射線検出素子７内に蓄積され続ける状態になってしまう。
【０１０２】
そのため、上記のように、放射線画像撮影前に、リークデータｄleakの読み出し処理を繰り返し行うように構成する場合には、図１５に示すように、各走査線５にオフ電圧を印加した状態で行うリークデータｄleakの読み出し処理と、走査線５の各ラインＬ１〜Ｌｘにオン電圧を順次印加して行う各放射線検出素子７のリセット処理とを交互に繰り返し行うように構成することが望ましい。なお、図１５や後述する図１６等のＴやτ、Ｔacについては後で説明する。
【０１０３】
このように放射線画像撮影前にリークデータｄleakの読み出し処理と各放射線検出素子７のリセット処理とを交互に繰り返して行うように構成した場合、放射線画像撮影装置１に対する放射線の照射が開始されると、シンチレーター３（図２参照）で放射線から変換された電磁波が、各ＴＦＴ８に照射される。そして、それにより、各ＴＦＴ８を介して各放射線検出素子７からリークする電荷ｑ（図１５参照）がそれぞれ増加することが本発明者らの研究で分かった。
【０１０４】
そして、例えば図１６に示すように、放射線画像撮影前にリークデータｄleakの読み出し処理と各放射線検出素子７のリセット処理とを交互に繰り返して行う場合、図１７に示すように、放射線画像撮影装置１に対する放射線の照射が開始された時点（時刻ｔ１参照）で読み出されたリークデータｄleakが、それ以前に読み出されたリークデータｄleakよりも格段に大きな値になる。
【０１０５】
なお、図１６および図１７では、図１６で走査線５のラインＬ４にオン電圧が印加されてリセット処理が行われた後の４回目の読み出し処理で読み出されたリークデータｄleakが、図１７の時刻ｔ１におけるリークデータｄleakに対応する。また、図１６において「Ｒ」は各放射線検出素子７のリセット処理を表し、「Ｌ」はリークデータｄleakの読み出し処理を表す。
【０１０６】
そこで、放射線画像撮影装置１の制御手段２２で、放射線画像撮影前のリークデータｄleakの読み出し処理で読み出されたリークデータｄleakを監視するように構成し、読み出されたリークデータｄleakが、例えば設定された所定の閾値ｄleak_th（図１７参照）を越えた時点で、放射線の照射が開始されたことを検出するように構成することができる。
【０１０７】
［検出方法２］
また、上記の検出方法１のように、放射線画像撮影前にリークデータｄleakの読み出し処理を行うように構成する代わりに、放射線画像撮影前に、図１８に示すように、走査駆動手段１５のゲートドライバー１５ｂから走査線５の各ラインＬ１〜Ｌｘにオン電圧を順次印加して、各放射線検出素子７からの画像データｄの読み出し処理を繰り返し行うように構成することも可能である。
【０１０８】
なお、前述したように、放射線の照射後に行われる上記の本画像としての画像データＤと区別して、以下、この放射線画像撮影前に放射線の照射開始の検出用に読み出される画像データを、照射開始検出用の画像データｄ（或いは単に画像データｄ）という。
【０１０９】
また、照射開始検出用の画像データｄの読み出し処理における読み出し回路１７の増幅回路１８の電荷リセット用スイッチ１８ｃのオン／オフや、相関二重サンプリング回路１９へのパルス信号Ｓｐ１、Ｓｐ２の送信等は、図１９に示すように、図１０に示した画像データＤの読み出し処理における処理と同様に行われる。なお、図１９等におけるＴやΔＴについては後で説明する。
【０１１０】
上記のように放射線画像撮影前に照射開始検出用の画像データｄの読み出し処理を行うように構成した場合、図２０に示すように、放射線画像撮影装置１に対する放射線の照射が開始されると、その時点で読み出された画像データｄ（図２０では走査線５のラインＬｎにオン電圧が印加されて読み出された画像データｄ）が、前述した図１７に示したリークデータｄleakの場合と同様に、それ以前に読み出された画像データｄよりも格段に大きな値になる。
【０１１１】
そこで、放射線画像撮影装置１の制御手段２２で、放射線画像撮影前の読み出し処理で読み出された画像データｄを監視するように構成し、読み出された画像データｄが設定された所定の閾値ｄthを越えた時点で、放射線の照射が開始されたことを検出するように構成することができる。なお、図２０中のΔＴやτ、Ｔacについては以下で説明する。
【０１１２】
［検出感度を向上させるための処理について］
また、上記の検出方法１において、放射線画像撮影前の各放射線検出素子７のリセット処理で、ある走査線５に対するオン電圧の印加を開始してから次の走査線５に対するオン電圧の印加を開始するまでの周期τ（図１５や図１６等参照）を長くして、リークデータｄleakの読み出し処理において制御手段２２から送信する２回のパルス信号Ｓｐ１、Ｓｐ２の送信間隔Ｔを長くすると、１回のリークデータｄleakの読み出し処理で読み出されるリークデータｄleakの値が大きくなる。そのため、放射線画像撮影装置１における放射線の照射開始の検出感度が向上する。以下、このように、周期τが長くされた各放射線検出素子７のリセット処理を、長周期のリセット処理という場合がある。
【０１１３】
また、上記の検出方法２において、放射線画像撮影前の照射開始検出用の画像データｄの読み出し処理において、各ＴＦＴ８をオン状態とする時間ΔＴ（図１９や図２０参照）、すなわち走査駆動手段１５のゲートドライバー１５ｂから走査線５にオン電圧を印加してからオフ電圧に切り替えるまでの時間ΔＴ（以下、オン時間ΔＴという。）を長くすると、１回の画像データｄの読み出し処理で読み出される画像データｄの値が大きくなる。そのため、やはり放射線画像撮影装置１における放射線の照射開始の検出感度が向上する。
【０１１４】
なお、この場合も、ある走査線５に対するオン電圧の印加を開始してから次の走査線５に対するオン電圧の印加を開始するまでの周期τ（図２０参照）や、制御手段２２から送信する２回のパルス信号Ｓｐ１、Ｓｐ２の送信間隔Ｔ（図１９参照）が長くなる。
【０１１５】
このように、上記の検出方法１や検出方法２を採用する場合には、放射線画像撮影装置１における放射線の照射開始の検出感度を向上させるために、放射線画像撮影前の各放射線検出素子７のリセット処理や照射開始検出用の画像データｄの読み出し処理における上記の周期τや、制御手段２２から送信する２回のパルス信号Ｓｐ１、Ｓｐ２の送信間隔Ｔ、或いはオン時間ΔＴを長くする等の処理が適宜行われる。
【０１１６】
なお、図２１に示すように、例えば、検出部Ｐ（図４や図７等参照）が４つの領域Ｐａ〜Ｐｄに分割されるなど、検出部Ｐが複数の領域に分割されるように構成される場合がある。このような場合、検出部Ｐの各領域Ｐａ〜Ｐｄごとに、上記の検出方法１や検出方法２を用いて放射線の照射開始を検出するように構成することが可能である。
【０１１７】
そして、このように構成すれば、例えば、放射線が放射線画像撮影装置１に対して照射野が狭められて照射され、検出部Ｐの複数の領域Ｐａ〜Ｐｄのうち１つ或いはいくつかの領域のみに放射線が照射される状態になる場合があるが、そのような場合でも、放射線の照射開始を的確に検出することが可能となる。
【０１１８】
なお、本実施形態における上記の検出方法１や検出方法２をさらに改良して、より的確に或いはより効率的に放射線の照射開始を検出するように構成することが可能である。
【０１１９】
［他の検出方法について］
上記の検出方法１や検出方法２では、放射線画像撮影前に、リークデータｄleakや照射開始検出用の画像データｄの読み出し処理を行い、読み出されたリークデータｄleakや照射開始検出用の画像データｄの値に基づいて放射線の照射開始を検出する場合について説明した。しかし、これ以外の検出方法によって放射線画像撮影装置に対する放射線の照射開始を検出するように構成することも可能である。
【０１２０】
例えば、前述した特許文献４等に記載されているように、図示を省略するが、放射線画像撮影装置内にバイアス線９や結線１０（図７等参照）中を流れる電流を検出する電流検出手段を設けておき、放射線画像撮影装置１の制御手段２２が、電流検出手段が検出する電流値に基づいて放射線の照射開始を検出するように構成することも可能である。
【０１２１】
この場合、特許文献４にも記載されているように、放射線画像撮影装置に放射線が照射されると、バイアス線９やその結線１０中を流れる電流の電流値が、それ以前の電流値に比べて格段に増大する。そこで、例えば、バイアス線９や結線１０中を流れる電流の電流値ｉに閾値ｉthを設定しておき、電流検出手段により検出される電流値ｉが閾値ｉthを越えた時点で、放射線画像撮影装置に対する放射線の照射が開始されたことを検出するように構成することが可能となる。
【０１２２】
また、放射線画像撮影装置１に対して照射された放射線の線量や、照射された放射線が放射線画像撮影装置１のシンチレーター３で変換された電磁波の光量を検出するセンサー等を放射線画像撮影装置１に設けておき、放射線画像撮影装置１の制御手段２２が、センサー等の出力値に基づいて放射線の照射開始を検出するように構成することも可能である
【０１２３】
そして、上記の各場合でも、放射線画像撮影装置に衝撃や圧力が加わると、電流検出手段が検出する電流値ｉやセンサー等の出力値等が大きくなる場合がある。そのため、放射線画像撮影装置に衝撃や圧力が加わることで、放射線画像撮影装置に対して放射線が照射されていないのに放射線の照射が開始されたと誤検出される場合がある。
【０１２４】
そこで、上記のように構成された放射線画像撮影装置に対しても、本発明を適用することにより、以下で説明する本実施形態と同様に、放射線の照射開始を誤検出した場合に、速やかに放射線の照射開始の検出処理（すなわちバイアス線９等を流れる電流値ｉの検出処理やセンサー等による線量等の検出処理）を行う状態に戻すように構成することが可能となる。
【０１２５】
［放射線の照射開始検出後の各処理について］
次に、本実施形態では、放射線画像撮影装置１の制御手段２２は、上記のようにして、放射線の照射が開始されたことを検出すると、図１６（検出方法１の場合）や図２０（検出方法２の場合）に示したように、放射線の照射開始を検出した時点で各走査線５へのオン電圧の印加を停止して、ゲートドライバー１５ｂから走査線５の全てのラインＬ１〜Ｌｘにオフ電圧を印加させ、各ＴＦＴ８をオフ状態にする。
【０１２６】
このように、各ＴＦＴ８がオフ状態とされると、放射線画像撮影装置１に放射線が照射されることにより各放射線検出素子７内で発生した電荷が、各放射線検出素子７内に蓄積される状態になる。放射線画像撮影装置１の制御手段２２は、放射線の照射開始を検出すると、このようにして、電荷蓄積状態に移行させるようになっている。
【０１２７】
そして、例えば放射線の照射開始を検出してから所定時間が経過した時点で、放射線画像撮影装置１の制御手段２２は、画像データＤの読み出し処理を行わせるようになっている。
【０１２８】
本実施形態では、制御手段２２は、放射線画像撮影前のリークデータｄleakの読み出し処理で放射線の照射が開始されたことを検出した時点の直前のリセット処理でオン電圧が印加された走査線５（図１６の場合は走査線５のラインＬ４）の次にオン電圧を印加すべき走査線５（図１６の場合は走査線５のラインＬ５）からオン電圧の印加を開始し、各走査線５にオン電圧を順次印加させて、画像データＤの読み出し処理を行うようになっている。
【０１２９】
また、検出方法２の場合も同様に、図２０に示すように、制御手段２２は、放射線の照射開始を検出してから所定時間が経過すると、放射線画像撮影前の照射開始検出用の画像データｄの読み出し処理で放射線の照射が開始されたことを検出した時点でオン電圧が印加されていた走査線５（図２０の場合は走査線５のラインＬｎ）の次にオン電圧を印加すべき走査線５（図２０の場合は走査線５のラインＬn+1）からオン電圧の印加を開始し、各走査線５にオン電圧を順次印加させて、画像データＤの読み出し処理を行うようになっている。
【０１３０】
なお、本実施形態では、画像データＤの読み出し処理の際に、ゲートドライバー１５ｂから各走査線５にオン電圧を印加する周期が、放射線画像撮影前のリークデータｄleakの読み出し処理と交互に行われる各放射線検出素子７のリセット処理（検出方法１の場合。図１６等参照）や照射開始検出用の画像データｄの読み出し処理（検出方法２の場合。図２０参照）における周期τと同じ周期になるように、各走査線５にオン電圧を順次印加するようになっている。
【０１３１】
このように構成すると、画像データＤの読み出し処理前の電荷蓄積状態への移行前に走査線５に印加したオン電圧をオフ電圧に切り替えてから、電荷蓄積状態を経て画像データＤの読み出し処理で当該走査線５に印加したオン電圧をオフ電圧に切り替えるまでの時間Ｔac（図１６や図２０参照）が、各走査線５で同じ時間になる等のメリットがある。
【０１３２】
上記のようにして本画像としての画像データＤの読み出し処理が行われると、放射線画像撮影装置１の制御手段２２は、前述したように、アンテナ装置４１等の通信手段を介してコンソール５８にプレビュー画像用のデータを送信するようになっている。そして、コンソール５８では、送信されてきたプレビュー画像用のデータに基づいてプレビュー画像を生成して表示部５８ａ上に表示させるようになっている。
【０１３３】
なお、プレビュー画像用のデータの送信処理を、下記のオフセットデータＯの読み出し処理が終了した後に行うように構成することも可能である。
【０１３４】
一方、図示を省略するが、本実施形態では、放射線画像撮影装置１の制御手段２２は、その後、オフセットデータＯの読み出し処理を行わせるようになっている。
【０１３５】
前述したように、各放射線検出素子７内では、各放射線検出素子７自体の熱（温度）による熱励起等により、いわゆる暗電荷（暗電流等ともいう。）が常時発生している。そして、上記の画像データＤの読み出し処理の際に読み出される画像データＤには、それ以前にＴＦＴ８がオフ状態とされている間（すなわち上記の時間Ｔacの間）に発生し蓄積された暗電荷に起因するオフセット分が重畳されている。
【０１３６】
そこで、この暗電荷に起因するオフセット分をオフセットデータＯとして読み出すオフセットデータＯの読み出し処理が、通常、画像データＤの読み出し処理の前や後に行われるのである。本実施形態では、図１６や図２０に示した画像データＤの読み出し処理までの処理シーケンスと同じ処理シーケンスを繰り返して、オフセットデータＯの読み出し処理を行うようになっている。なお、オフセットデータＯの読み出し処理では、放射線画像撮影装置１には放射線は照射されない。
【０１３７】
放射線画像撮影装置１の制御手段２２は、このようにしてオフセットデータＯの読み出し処理を終了すると、プレビュー画像用のデータとして送信した画像データＤ以外の残りの各画像データＤと各オフセットデータＯとをコンソール５８に送信するようになっている。
【０１３８】
そして、コンソール５８では、放射線画像撮影装置１から画像データＤとオフセットデータＯが送信されてくると、放射線画像撮影装置１の各放射線検出素子７ごとに、画像データＤからオフセットデータＯを減算して真の画像データＤ＊を算出する。そして、前述したように、算出した真の画像データＤ＊に対してゲイン補正処理や欠陥画素補正、撮影部位に応じた階調処理等の精密な画像処理を行って、最終的な放射線画像Ｉを生成するようになっている。
【０１３９】
［本発明における放射線画像撮影の手順等について］
次に、本実施形態に係る放射線画像撮影装置１や放射線画像撮影システム５０における放射線画像撮影の手順および各処理等について、図２３のシーケンス図に基づいて説明する。また、本実施形態に係る放射線画像撮影装置１や放射線画像撮影システム５０の作用についてもあわせて説明する。
【０１４０】
なお、以下においても、主に、前述した検出方法１、すなわち放射線画像撮影前にリークデータｄleakの読み出し処理および各放射線検出素子７のリセット処理を交互に行い、読み出したリークデータｄleakやそれに基づいて算出された各値に基づいて放射線の照射開始を検出する場合について説明するが、上記の検出方法２等を採用する場合についても同様にあてはまる。
【０１４１】
また、以下では、後述する携帯端末７０（後述する図２４参照）が後述する指示信号送信手段として機能し、コンソール５８が後述する報知装置として機能するように構成されている場合について説明するが、指示信号送信手段や報知装置の構成例等については後で説明する。
【０１４２】
［各放射線検出素子のリセット処理］
本実施形態では、例えば、コンソール５８から放射線画像撮影装置１に対して放射線画像撮影を開始する旨の信号が送信されると、放射線画像撮影装置１の制御手段２２は、まず、各放射線検出素子７内に残存している余分な電荷を各放射線検出素子７内から除去するための各放射線検出素子７のリセット処理を行わせるようになっている。
【０１４３】
この場合のリセット処理は、前述した放射線画像撮影前のリークデータｄleakの読み出し処理と交互に行われる周期τ（図１５や図１６等参照）が長い、いわゆる長周期のリセット処理でもよいが、本実施形態では、速やかに残存する電荷を除去するために、例えば図２２に示すように、走査駆動手段１５のゲートドライバー１５ｂから走査線５のラインＬ１〜Ｌｘにオン電圧を順次印加する周期τが短い、いわゆる通常の短周期のリセット処理を所定回数だけ繰り返して行うようになっている。
【０１４４】
なお、この場合の所定回数は、図２２に示すように、４回以上である必要はなく、１回や２回等でもよく、適宜の回数が設定される。
【０１４５】
［少なくとも１回分の放射線の照射開始の検出動作を行わないことについて］
放射線画像撮影装置１の制御手段２２は、上記の短周期のリセット処理が終了した後、続いて、前述した放射線の照射開始の検出処理に移行するようになっている。
【０１４６】
しかし、本実施形態では、上記の短周期のリセット処理を終了して検出処理に移行した直後の１回分の検出処理を行う間（すなわちリークデータｄleakの読み出し処理と交互に行う上記の長周期のリセット処理（図１５や図１６参照）を走査線５の各ラインＬ１〜Ｌｘにオン電圧を１回ずつ印加して行う間）は、制御手段２２は、放射線の照射開始の検出動作を行わないようになっている。
【０１４７】
このように構成する理由は、以下の通りである。すなわち、本発明者らの研究では、通常の短周期のリセット処理から検出処理に移行した直後のリークデータｄleakの読み出し処理（或いは照射開始検出用の画像データｄの読み出し処理。以下同じ。）で読み出されるリークデータｄleakの値が大きくなる場合があることが分かっている。
【０１４８】
このような現象が生じる原因は必ずしも明確には分かっていないが、１つの原因として、上記の短周期のリセット処理を行うと、各放射線検出素子７から信号線６に電荷が放出される際に各ＴＦＴ８中のトラップ準位に比較的多くの電荷がトラップされる。そして、リークデータｄleakの読み出し処理の初期段階では、放射線検出素子７からＴＦＴ８を介して信号線６にリークする電荷ｑ（図１３参照）と一緒に信号線６に流出する各ＴＦＴ８中の電荷量が大きくなる。そのため、リークデータｄleakの値が大きくなると考えられる。
【０１４９】
このような現象が生じる場合に、通常の短周期のリセット処理から検出処理に移行した直後から検出動作を行うように構成すると、検出処理に移行した直後に読み出される大きな値のリークデータｄleakが閾値ｄleak_thを越えてしまい、放射線画像撮影装置１に対する放射線の照射が開始されたと誤検出してしまう可能性がある。
【０１５０】
しかし、その一方で、リークデータｄleakの読み出し処理や長周期τの各放射線検出素子７のリセット処理（図１５や図１６参照）を繰り返すうちに、各ＴＦＴ８内にトラップされた電荷の量が減るため、リークデータｄleakの読み出し処理を繰り返すうちに、読み出されるリークデータｄleakの値は平常の比較的小さな値に収束する。
【０１５１】
そこで、本実施形態では、放射線画像撮影装置１の制御手段２２は、上記のように、短周期のリセット処理から放射線の照射開始の検出処理に移行した直後の１回分の検出処理を行う間は、放射線の照射開始の検出動作（すなわちリークデータｄleakの読み出し動作）を行わないようになっている。
【０１５２】
具体的には、放射線の照射開始の検出処理の仕方として上記の検出方法１が採用されている場合には、この間、放射線画像撮影装置１の制御手段２２は、リークデータｄleakの読み出し動作を行わずに、各放射線検出素子７の長周期のリセット処理のみを行わせるように構成される。
【０１５３】
また、放射線の照射開始の検出処理の仕方として上記の検出方法２が採用されている場合には、この間、放射線画像撮影装置１の制御手段２２は、照射開始検出用の画像データｄの読み出し動作を行わせる代わりに、同じ周期τで各放射線検出素子７のリセット処理を行わせるように構成される。
【０１５４】
なお、本実施形態では、短周期のリセット処理から放射線の照射開始の検出処理に移行した後、２回目の検出処理以降の検出処理で読み出されるリークデータｄleak（或いは照射開始検出用の画像データｄ。以下同じ。）は平常通りの比較的小さな値になる。そのため、検出処理に移行した直後の１回分の検出処理を行う間だけ検出動作を行わないように構成されるが、リークデータｄleakが通常の小さな値に収束するまでの期間が長引く場合等には、検出動作を行わない回数を増やしてもよい。
【０１５５】
また、短周期のリセット処理から検出処理に移行した直後にリークデータｄleakを読み出しても、読み出されるリークデータｄleakが上記のように大きな値にならず、最初から平常の比較的小さな値のリークデータｄleakが読み出される場合には、検出処理に移行した直後から放射線の照射開始の検出動作（すなわちリークデータｄleakの読み出し動作やそれと閾値との比較処理等）を行うように構成することも可能である。
【０１５６】
本実施形態の放射線画像撮影装置１では、上記のように、短周期のリセット処理を行っている間（図２２参照）や、検出動作を１回分行わない間は、放射線の照射開始を検出することができない。そこで、図２３に示すように、例えば、その間、コンソール５８の表示部５８ａ上に、放射線画像撮影装置１が各放射線検出素子７の短周期や長周期のリセット処理等を行う等してイニシャライズ中である旨を、色や文字等で表示するように構成することが可能である。
【０１５７】
そして、放射線画像撮影装置１で、短周期のリセット処理を行っている期間や検出動作を１回分行わない期間が終了した時点で、コンソール５８に対して、リークデータｄleakの読み出し処理を開始する等して放射線の照射開始の検出処理に移行できる状態である旨を表す信号を送信するように構成することが可能である。この場合、コンソール５８は、放射線画像撮影装置１から信号が送信されてきた時点で、上記の表示を停止して消したり音声を発声させる等して、放射線画像撮影装置１が上記の状態になったことを放射線技師に知らせるように構成される。
【０１５８】
［検出処理を開始することを指示する処理について］
一方、本実施形態では、放射線画像撮影装置１の制御手段２２は、上記のように、所定回数の短周期のリセット処理を行っている期間や検出動作を１回分行わない期間が終了しても、すぐにはリークデータｄleakの読み出し処理を開始せずに長周期のリセット処理のみを続行するようになっている。すなわち、すぐには放射線の照射開始の検出処理を開始しないようになっている。
【０１５９】
これは、放射線画像撮影装置１が所定回数の短周期のリセット処理を行っている間や検出動作を１回分行わない間に、例えば、放射線技師により、放射線画像撮影装置１がベッドＢと患者Ｈの身体との間に差し込まれたり（図１２等参照）、患者の身体に直接あてがわれた状態にポジショニングされている場合がある。
【０１６０】
そして、所定回数の短周期のリセット処理を行っている間や検出動作を１回分行わない間にポジショニングが完了せず、放射線画像撮影装置１が検出動作を１回分行わない期間が終了した時点で、まだ、放射線画像撮影装置１のポジショニングが行われている場合がある。
【０１６１】
このような場合に、放射線画像撮影装置１で、上記の放射線の照射開始の検出処理を開始してしまうと、ポジショニング等の際に放射線画像撮影装置１に患者の身体がぶつかったり、放射線画像撮影装置１が患者の身体から強い圧力を受ける等して、前述したように、読み出されるリークデータｄleak（或いは照射開始検出用の画像データｄ。以下同じ。）の値が大きくなり、放射線の照射開始を誤検出してしまう可能性が高くなる。
【０１６２】
そこで、本実施形態では、このような誤検出を防止するために、放射線画像撮影装置１は、上記のように所定回数の短周期のリセット処理が終了しても、すぐには放射線の照射開始の検出処理に移行せず、放射線画像撮影装置１のポジショニングが完了する等して放射線技師が検出処理を開始することを指示する指示信号を送信するまで、リークデータｄleakの読み出し動作を伴わない長周期のリセット処理のみを繰り返し行うようになっている。
【０１６３】
そして、本実施形態では、図２４に示すように、放射線技師Ｅが携帯端末７０を携帯するようになっており、放射線画像撮影装置１のポジショニング等を終えた放射線技師Ｅが、この携帯端末７０を操作することにより、上記の指示信号を、放射線画像撮影装置１に直接、或いはコンソール５８を介して放射線画像撮影装置１に送信するようになっている。従って、本実施形態では、携帯端末７０が指示信号送信手段として機能する。
【０１６４】
なお、この指示信号を、例えば、放射線画像撮影装置１のポジショニング等を終えた放射線技師Ｅが、コンソール５８を操作することにより送信するように構成することも可能である。この場合は、コンソール５８が、放射線画像撮影装置１に対して上記の指示信号を送信することが可能な指示信号送信手段として機能することになる。
【０１６５】
さらに、放射線画像撮影装置１のポジショニング等を終えた放射線技師Ｅが、放射線画像撮影装置１の切替スイッチ３８（図１参照）等を操作することにより、放射線画像撮影装置１に対して直接指示信号を入力するように構成することも可能である。この場合は、切替スイッチ３８等が指示信号送信手段として機能する。
【０１６６】
放射線画像撮影装置１は、上記のように、指示信号送信手段から指示信号を受信すると、図２３に示すように、その時点で、長周期のリセット処理のみを行っていた状態から、リークデータｄleakの読み出し動作と各放射線検出素子７の長周期のリセット処理とを交互に繰り返す放射線の照射開始の検出処理に移行し、読み出したリークデータｄleakに基づいて放射線の照射が開始されたことを検出する前述した検出処理を開始するようになっている。
【０１６７】
すなわち、本実施形態では、放射線画像撮影装置１は、所定回数の短周期のリセット処理を行っている期間や検出動作を１回分行わない期間が経過した後、指示信号送信手段から上記の指示信号を受信する前には、上記のように、各放射線検出素子７の長周期のリセット処理のみを行う状態を継続する。
【０１６８】
また、放射線画像撮影装置１は、指示信号送信手段から上記の指示信号を受信すると、その時点で、リークデータｄleakの読み出し動作と各放射線検出素子７の長周期のリセット処理とを交互に繰り返す放射線の照射開始の検出処理（図１５等参照）に移行するようになっている。
【０１６９】
なお、検出方法２（図１８や図２０等参照）が採用されている場合には、この時点で、上記の各放射線検出素子７のリセット処理を行う状態から、照射開始検出用の画像データｄの読み出し処理を行う状態に移行する。このように、放射線の照射開始の検出処理は、検出方法２等の場合も含め、先に説明した仕方によって行われる。
【０１７０】
このように構成すれば、指示信号が送信される前に、放射線画像撮影装置１のポジショニング等で放射線画像撮影装置１に患者の身体がぶつかったり放射線画像撮影装置１が患者の身体から強い圧力を受ける等しても、放射線画像撮影装置１は放射線の照射開始の検出処理を行っていないため、放射線の照射開始が誤検出されることが的確に防止される。
【０１７１】
また、指示信号が送信されるまでの間、リークデータｄleak等の、比較的大きな電力を消費する読み出し動作を行わないため、その分、電力の消費を抑制することが可能となるといったメリットもある。
【０１７２】
なお、この場合、例えば、放射線画像撮影装置１が放射線の照射開始の検出処理を開始した時点（すなわち指示信号を受信した時点）でコンソール５８に放射線の照射開始の検出処理を開始した旨を表す信号を送信し、コンソール５８の表示部５８ａ上に、その旨を表示するように構成することも可能である。
【０１７３】
また、上記のように放射線画像撮影装置１が所定回数の短周期のリセット処理を行っている間や検出動作を１回分行わない間に、携帯端末７０等から指示信号が送信されてくる場合もあり得る。そのような場合には、放射線画像撮影装置１の制御手段２２は、上記の短周期のリセット処理を行っている期間や検出動作を１回分行わない期間が終了した時点で、すぐに放射線の照射開始の検出処理に移行するように構成される。
【０１７４】
［放射線の照射開始を検出した場合の処理について］
放射線画像撮影装置１は、上記のように、指示信号送信手段から指示信号を受信すると、その時点で、放射線の照射開始の検出処理を開始する。
【０１７５】
そして、本実施形態では、放射線画像撮影装置１の制御手段２２は、上記のように、読み出したリークデータｄleakが閾値ｄleak_thを越える等して放射線の照射が開始されたことを検出すると、アンテナ装置４１等の通信手段を介して、放射線画像撮影システム５０の報知装置に対して、放射線の照射開始を検出したことを表す検出信号を送信するようになっている。
【０１７６】
本実施形態では、放射線画像撮影システム５０は、音声や表示により放射線技師に報知する報知手段を備えており、報知装置は、放射線画像撮影装置１から上記の検出信号を受信すると、報知手段から音声を発声したり表示を行う等して、放射線技師に対して、放射線画像撮影装置１により放射線の照射が開始されたことを検出したことを報知するようになっている。
【０１７７】
本実施形態では、前述したように、コンソール５８がこの報知装置として機能するように構成されており、コンソール５８の表示部５８ａやスピーカーが報知手段として機能するようになっている。そして、報知装置としてのコンソール５８は、放射線画像撮影装置１から上記の検出信号を受信すると、スピーカーからブザー音を発声させたり、或いは、表示部５８ａ上に放射線画像撮影装置１が照射開始を検出した旨を表示する等して、放射線技師に報知するようになっている。
【０１７８】
なお、例えば図２４に示した携帯端末７０に、表示部７１や図示しないスピーカー等を設けておき、この携帯端末７０を報知装置として機能させるように構成することも可能である。その場合、表示部７１やスピーカーが報知手段として機能することになる。
【０１７９】
また、コンソール５８や携帯端末７０を報知装置として機能させるように構成する代わりに、放射線画像撮影装置１自体で、放射線の照射が開始されたことを検出したことを報知するように構成することも可能である。この場合、例えば、放射線画像撮影装置１内に設けられたスピーカーを発声させたり、インジケーター４０（図１参照）を所定の明滅の仕方や色等で点灯させる等して、放射線の照射が開始されたことを検出したことを、音声や表示により報知するように構成される。すなわち、この場合、インジケーター４０やスピーカーが報知手段として機能する。
【０１８０】
このように、放射線画像撮影装置１が放射線の照射開始を検出した際に、報知装置に検出信号を送信し、報知装置で、放射線画像撮影装置１により放射線の照射開始が検出されたことを報知するように構成すると、以下のような有益な作用効果が得られる。
【０１８１】
すなわち、前述したように、放射線技師は、放射線発生装置５５の曝射スイッチ５６（図１１や図１２参照）を操作することで、放射線源５２から放射線画像撮影装置１に対して放射線を照射させるが、放射線技師が曝射スイッチ５６を操作して放射線源５２から放射線を照射させると同時或いはその直後に報知装置で放射線画像撮影装置１により放射線の照射開始が検出されたことが報知された場合には、放射線技師は、放射線画像撮影装置１が放射線の照射開始を正常に検出したと判断することができる。
【０１８２】
一方、放射線技師が曝射スイッチ５６を操作していないにもかかわらず、報知装置で放射線画像撮影装置１により放射線の照射開始が検出されたことが報知された場合には、放射線技師は、放射線画像撮影装置１が放射線の照射開始を誤検出したと判断することができる。
【０１８３】
このように、放射線画像撮影装置１が放射線の照射開始を検出した際に、報知装置で放射線画像撮影装置１により放射線の照射開始が検出されたことを報知するように構成することで、放射線技師は、放射線画像撮影装置１による放射線の照射開始の検出が、正常な検出であるか誤検出であるかを的確に判断することが可能となる。
【０１８４】
そして、放射線画像撮影装置１により放射線の照射開始が誤検出された場合には、放射線画像撮影装置１ではその後の電荷蓄積状態への移行や画像データＤの読み出し処理等が自動的に行われるが、放射線技師は、誤検出後、放射線画像撮影装置１で現在どのような処理が行われているか分からないため、そのような状態の放射線画像撮影装置１に対して放射線を照射しない。
【０１８５】
このように、放射線画像撮影装置１により放射線の照射開始が誤検出された場合には、放射線技師が、誤検出を生じた放射線画像撮影装置１に対して放射線を照射することを的確に回避することが可能となる。また、それとともに、このような状態の放射線画像撮影装置１に対して放射線を無駄に照射してしまうことが防止されるため、被写体である患者の身体への被曝線量が増大してしまうことを的確に防止することが可能となる。
【０１８６】
なお、上記の曝射スイッチ５６（図１１や図１２参照）は、一般的に２段ストローク構造をとり、最初のストローク分だけ放射線技師が押圧操作すると、音声で告知する機能が付与されていることがある。そのため、上記のように放射線の照射が開始されたことを検出した放射線画像撮影装置１から検出信号が送信されて、コンソール５８や放射線技師が保持する携帯端末７０（図２４参照）のスピーカーから発声させて報知するように構成する場合には、曝射スイッチ５６の操作のために前室Ｒ２にいる放射線技師は、曝射スイッチ５６の操作に伴う音声に引き続いて、報知手段からの音を聞くことになる。
【０１８７】
そのため、このような場合には、両者を混同することがないように、放射線画像撮影装置１からの検出信号に基づくコンソール５８や携帯端末７０等の報知手段からの発声の持続時間を、曝射スイッチ５６からの音声の持続時間よりも長くするように（例えば数倍の時間になるように）設定しておくことが好ましい。
【０１８８】
また、前述したように、放射線画像撮影装置１から放射線の照射開始の検出処理に移行できる状態である旨を表す信号を送信し、コンソール５８でこの信号に応じて音声を発声させるように構成する場合には、上記の２種類の音声を含めて計３種類の音声が混在する状態になる。そのため、これらの各種の音声を、放射線技師が弁別して認識することができるように制御する（すなわち音声の持続時間を変えたり言語で内容を伝えたりするようにして制御する）ことが好ましい。
【０１８９】
さらに、曝射スイッチ５６（図１１や図１２参照）の操作に伴い音声告知機能が付与されていない場合には、放射線画像撮影装置１からの放射線の照射開始の検出処理に移行できる状態である旨を表す信号の送信に伴うコンソール５８での音声告知と、放射線の照射が開始されたことを検出した放射線画像撮影装置１からの検出信号の送信に伴うコンソール５８や携帯端末７０での発声報知の、２種類の音声による告知や報知が行われることになる。
【０１９０】
このような場合、放射線技師の撮影フローを加味すると、上記の検出処理への移行可能を表す音声告知は、携帯端末７０や放射線画像撮影装置１自体で行い、放射線の照射開始検出による報知は、コンソール５８や携帯端末７０で行うことが好ましい。このように構成すれば、撮影室Ｒ１と前室Ｒ２との間の移動等を加味した場合、放射線技師が確実に音声による告知や報知を認識することが可能となる。
【０１９１】
一方、前述したように、放射線技師が曝射スイッチ５６を操作していないにもかかわらず、報知装置で放射線画像撮影装置１により放射線の照射開始が検出されたことが報知された場合には、曝射スイッチ５６は未操作状態であるので、曝射スイッチ５６の操作音との混同は生じない。
【０１９２】
しかし、放射線技師自身が撮影室Ｒ１内にいる可能性もあり、この場合にはコンソール５８からの音声による告知が聞こえない。そのため、放射線の照射が開始されたことを検出（この場合は誤検出）した放射線画像撮影装置１からの検出信号の送信に伴って音声による報知をする際には、コンソール５８（或いは前室Ｒ２）と放射線画像撮影装置１（或いは撮影室Ｒ１）の両方で報知するように構成することが好ましい。
【０１９３】
ところで、前述したように、本発明では、基本的には、放射線画像撮影装置１は、放射線発生装置５５（図１１や図１２参照）との間で信号等のやり取りを行わず、放射線画像撮影装置１自体で放射線の照射開始を検出して放射線画像撮影を行うように構成されている。
【０１９４】
しかし、上記のように放射線発生装置５５との間で連携をとらずに撮影を行う撮影方式（以下、非連携方式という。）だけでなく、前述した従来のように放射線画像撮影装置１と放射線発生装置５５とが互いに信号や情報等のやり取りを行いながら放射線画像撮影を行う連携方式でも撮影を行うように構成することも可能である。
【０１９５】
そして、その際、放射線画像撮影が連携方式で行われる場合、すなわち、例えば放射線技師がコンソール５８を操作して撮影方式として連携方式を選択した場合には、上記の２種類の音声による告知や報知、すなわち放射線画像撮影装置１からの放射線の照射開始の検出処理に移行できる状態である旨を表す信号の送信に伴うコンソール５８での音声告知や、放射線の照射が開始されたことを検出した放射線画像撮影装置１からの検出信号の送信に伴うコンソール５８や携帯端末７０での発声報知は行わないように制御されることが好ましい。
【０１９６】
［放射線の照射開始を誤検出した場合の処理について］
以下、放射線画像撮影装置１が放射線の照射開始を誤検出した場合の処理について説明する。
【０１９７】
図２３の中段に示すように、放射線画像撮影装置１が放射線の照射開始を誤検出した場合でも、放射線画像撮影装置１ではそれが正常な検出であるか誤検出であるかを判断できないため、上記と同様に、本実施形態の報知装置であるコンソール５８に対して、放射線の照射開始を検出したことを表す検出信号を送信する。
【０１９８】
そして、報知装置であるコンソール５８が、音声や表示により、放射線画像撮影装置１により放射線の照射が開始されたことを検出したことを報知すると、上記のように、例えば曝射スイッチ５６を操作していない放射線技師は、放射線画像撮影装置１が放射線の照射開始を誤検出したと判断する。
【０１９９】
この場合、放射線の照射開始を誤検出した放射線画像撮影装置１で、そのまま電荷蓄積状態への移行や画像データＤの読み出し処理、およびその後のオフセットデータＯの読み出し処理等の各処理を行わせても、読み出された画像データＤ等は使い物にならないうえ、その分、電力が無駄に消費される。また、被写体である患者は、それらの処理が終了するまで長い時間待たなければならず、患者にかかる負担も増大する。
【０２００】
そこで、本実施形態では、放射線画像撮影装置１が放射線の照射が開始されたことを誤検出した場合には、放射線技師は、放射線画像撮影装置１における処理を強制的に停止させるようになっている。
【０２０１】
具体的には、例えばコンソール５８や携帯端末７０をキャンセル信号送信手段として機能させ（或いは放射線画像撮影装置１の切替スイッチ３８等をキャンセル信号送信手段として機能させてもよい。）、放射線画像撮影装置１が放射線の照射開始を誤検出したと判断した放射線技師は、キャンセル信号送信手段を操作して、放射線画像撮影装置１に対して、行っている処理を停止することを指示するキャンセル信号を送信する。
【０２０２】
そして、放射線画像撮影装置１は、キャンセル信号を受信すると、その時点で行っている処理を停止する。そして、各放射線検出素子７内に暗電荷等の電荷が蓄積されてしまっている可能性があるため、本実施形態では、放射線画像撮影装置１は、前述した短周期のリセット処理（図２３の最上段参照）を行う状態に戻るようになっている。
【０２０３】
なお、この場合、例えば、放射線画像撮影装置１の制御手段２２は、キャンセル信号を受信した段階で、画像データＤやオフセットデータＯを読み出したか否かが分かっている。そして、今回の誤検出により読み出されたこれらのデータは不要なデータである。
【０２０４】
そのため、本実施形態では、制御手段２２は、上記のように各放射線検出素子のリセット処理を行う状態に戻るとともに、それまでの処理で得られた画像データＤやオフセットデータＯが記憶手段２３（図７等参照）に保存されている場合には、それらのデータを破棄するようになっている。
【０２０５】
また、本実施形態では、放射線画像撮影装置１がキャンセル信号を受信した場合、上記のように、短周期のリセット処理（図２３の最上段参照）を行う状態に戻るため、放射線画像撮影装置１に放射線の照射開始の検出処理を行わせるためには、携帯端末７０等の指示信号送信手段から、再度、指示信号を送信することが必要となる。
【０２０６】
一方、放射線技師が、放射線発生装置５５の曝射スイッチ５６を操作して、放射線源５２から放射線画像撮影装置１に放射線を照射すると同時或いはその直後に、報知装置であるコンソール５８が、放射線画像撮影装置１により放射線の照射が開始されたことを検出したことを報知した場合には、上記のように、放射線技師は、放射線画像撮影装置１が放射線の照射開始を正常に検出したと判断する。
【０２０７】
そして、この場合は、放射線技師は、放射線画像撮影装置１に画像データＤの読み出し処理等の各処理を自動的に行わせるようにするために、図２３の下段に示すように、コンソール５８等や放射線画像撮影装置１に対して何らの操作も行わずに放置する。すなわち、放射線画像撮影装置１に対してキャンセル信号を送信するような処理等を行わない。
【０２０８】
放射線画像撮影装置１は、図１６や図２０等に示したように、放射線の照射開始を検出すると、電荷蓄積状態に移行した後、画像データＤの読み出し処理を行う。そして、放射線画像撮影装置１の制御手段２２は、コンソール５８にプレビュー画像用のデータを送信し、コンソール５８は、送信されてきたプレビュー画像用のデータに基づいてプレビュー画像を生成して表示部５８ａ上に表示させる。
【０２０９】
なお、放射線技師がコンソール５８の表示部５８ａ上に表示されたプレビュー画像を確認して再撮影の要否等を判断することは、前述した通りである。また、再撮影を行うと判断された場合には、放射線画像撮影装置１は、その後の処理を停止し、短周期のリセット処理を行う状態に戻される。
【０２１０】
放射線画像撮影装置１の制御手段２２は、プレビュー画像用のデータを送信すると、続いて、オフセットデータＯの読み出し処理を行わせる。そして、プレビュー画像用のデータとして送信した画像データＤ以外の残りの各画像データＤと各オフセットデータＯとをコンソール５８に送信する。
【０２１１】
そして、コンソール５８は、放射線画像撮影装置１から画像データＤ等が送信されてくると、画像データＤ等に基づいて真の画像データＤ＊を算出し、算出した真の画像データＤ＊に対してゲイン補正処理や欠陥画素補正、撮影部位に応じた階調処理等の精密な画像処理を行って、最終的な放射線画像Ｉを生成する。本実施形態では、以上のようにして、放射線画像撮影が行われる。
【０２１２】
以上のように、本実施形態に係る放射線画像撮影システム５０や放射線画像撮影装置１によれば、放射線画像撮影装置１の制御手段２２は、放射線の照射が開始されたことを検出すると、放射線の照射開始を検出したことを自ら報知したり、或いは、コンソール５８等の報知装置に検出信号を送信して放射線画像撮影装置１により放射線の照射が開始されたことを検出したことを報知させる。
【０２１３】
そのため、放射線技師は、自らが曝射スイッチ５６を操作したために放射線画像撮影装置１が放射線の照射開始を検出したのか（すなわち正常な検出）、放射線を照射していないにもかかわらず放射線画像撮影装置１が放射線の照射開始を検出したのか（すなわち誤検出）を的確に認識することが可能となる。
【０２１４】
そして、放射線技師が、放射線画像撮影装置１が放射線の非照射時に放射線の照射開始を誤検出したと判断した場合に、そのような放射線画像撮影装置１に対して放射線を照射しないようにすることで、誤検出に基づいて各処理を行っている放射線画像撮影装置１に対して放射線が照射されることを的確に回避することが可能となる。
【０２１５】
また、そのため、誤検出に基づいて各処理を行っている放射線画像撮影装置１に対して放射線を照射しても再撮影が必要になり、再度、放射線が照射されることにより、被写体である患者の身体への被曝線量が増大することを的確に防止することが可能となる。
【０２１６】
一方、本実施形態のように、放射線画像撮影装置１が放射線の照射開始を誤検出したことを認識した放射線技師が、放射線画像撮影装置１における各処理を停止させ、速やかに短周期のリセット処理を行う状態に戻すように構成することで、誤検出により放射線画像撮影装置１で行われる各処理が終了するまで待たずに、次の撮影動作に移ることが可能となる。
【０２１７】
そのため、放射線画像撮影の一連の処理を速やかに終了させることが可能となり、放射線画像撮影システム５０や放射線画像撮影装置１が放射線技師にとって使い勝手がよいものとなる。また、それとともに、被写体である患者にとっても次の撮影まで長い時間待つ必要がなくなるため、患者にかかる負担を軽減することが可能となる。
【０２１８】
なお、本発明は、前述したように、放射線画像撮影装置１が上記の検出方法１や検出方法２、或いはさらに改良された検出方法に基づいて放射線の照射開始を検出するように構成されている場合だけでなく、例えば、放射線画像撮影装置１内に、バイアス線９や結線１０（図７等参照）中を流れる電流ｉを検出する電流検出手段や、照射された放射線の線量等を検出するセンサー等を設けておき、それらの出力値に基づいて放射線の照射開始を検出するように構成されている放射線画像撮影装置についても適用することが可能である。
【０２１９】
そして、このように、放射線画像撮影装置自体で放射線の照射開始を検出するように構成するとともに、放射線の照射が開始されたことを検出すると、放射線画像撮影装置が放射線の照射開始を検出したことを自ら報知したり、或いは、報知装置に検出信号を送信して放射線画像撮影装置により放射線の照射が開始されたことを検出したことを報知させるように構成することで、上記の本実施形態の場合と全く同様の有益な効果を得ることが可能となる。
【０２２０】
一方、上記の本実施形態のように、放射線画像撮影装置１が放射線の照射開始を検出して、放射線画像撮影装置１から検出信号が送信されてきた時点で、例えば、コンソール５８から放射線発生装置５５に信号を送信し、曝射スイッチ５６をそれ以上操作できないように、或いは、その後、曝射スイッチ５６が操作されても放射線源５２から放射線を照射させないようにするように構成することも可能である。
【０２２１】
この場合、例えば、放射線発生装置５５は、コンソール５８から上記の信号を受信した後、所定の期間の間だけ曝射スイッチ５６を操作できないようにしたり、所定の期間内に曝射スイッチ５６が操作されても放射線源５２から放射線を照射させないように構成される。
【０２２２】
このように構成しても、放射線技師が放射線画像撮影装置１に放射線を照射させて、放射線画像撮影装置１が放射線の照射開始を正常に検出した場合には、その後、所定期間、曝射スイッチ５６が操作できなくなる等しても、放射線画像撮影装置１は画像データＤの読み出し処理等を行っておりそもそも放射線を照射できる状態ではないため、別段、不都合はない。
【０２２３】
一方、放射線画像撮影装置１が放射線の照射開始を誤検出した場合、仮に放射線技師がそれに気付かずに放射線画像撮影装置１に放射線を照射させようとしても、少なくとも所定期間の間は、曝射スイッチ５６が操作できなくなる等して、放射線画像撮影装置１に放射線が照射されない。
【０２２４】
そのため、被写体である患者に無駄に放射線が照射されて患者の被曝線量が増大することを的確に防止することが可能となるとともに、放射線技師は、放射線画像撮影装置１が放射線の照射開始を誤検出したことに気付いて、放射線画像撮影装置１が自動的に行っている画像データＤの読み出し処理等の各処理を停止させる等の適切な処理を行わせることが可能となる。
【０２２５】
また、上記の実施形態では、放射線画像撮影装置１が衝撃等を受けるケースとして、放射線画像撮影装置１をベッドＢと患者Ｈの身体との間に差し込んだり、患者の身体に直接あてがったりする、図１２に示した放射線画像撮影システム５０の場合を念頭において説明した。
【０２２６】
しかし、例えば図１１に示した放射線画像撮影システム５０においても、上記の検出方法１や検出方法２等を用いて装置自体で放射線の照射開始を検出するように構成された放射線画像撮影装置１をブッキー装置５１に装填するような場合に、放射線画像撮影装置１が比較的強い衝撃を受ける場合があり、それに基づいて放射線画像撮影装置１で誤検出が生じる場合があり得る。
【０２２７】
従って、このような場合にも、上記の本発明を適用することで、仮に放射線画像撮影装置１が放射線の非照射時に放射線の照射開始を誤検出した場合には、放射線技師がそれに気付き、そのような放射線画像撮影装置１に対して放射線を照射しないようにすることが可能となる。
【０２２８】
そのため、誤検出に基づいて各処理を行っている放射線画像撮影装置１に対して放射線が照射されることを的確に回避することが可能となる等の、上記の実施形態と全く同様の有益な効果を得ることが可能となる。
【０２２９】
なお、本発明が上記の実施形態等に限定されず、本発明の趣旨を逸脱しない限り、適宜変更可能であることは言うまでもない。
【符号の説明】
【０２３０】
１  放射線画像撮影装置
５  走査線
６  信号線
７  放射線検出素子
８  ＴＦＴ（スイッチ手段）
１５  走査駆動手段
１７  読み出し回路
２２  制御手段
３８  切替スイッチ（指示信号送信手段、キャンセル信号送信手段）
３９  コネクター（通信手段）
４０  インジケーター（報知手段）
４１  アンテナ装置（通信手段）
５０  放射線画像撮影システム
５２  放射線源
５５  放射線発生装置
５８  コンソール（報知装置、指示信号送信手段、キャンセル信号送信手段）
５８ａ  表示部（報知手段）
７０  携帯端末（報知装置、指示信号送信手段、キャンセル信号送信手段）
７１  表示部（報知手段）
Ｄ  画像データ
ｄ  照射開始検出用の画像データ
ｄleak  リークデータ
ｄleak_th  閾値
ｄth  閾値
ｑ  電荷
ｒ  小領域
【図１】
0005849646.tif 000002
【図２】
0005849646.tif 000003
【図３】
0005849646.tif 000004
【図４】
0005849646.tif 000005
【図５】
0005849646.tif 000006
【図６】
0005849646.tif 000007
【図７】
0005849646.tif 000008
【図８】
0005849646.tif 000009
【図９】
0005849646.tif 000010
【図１０】
0005849646.tif 000011
【図１１】
0005849646.tif 000012
【図１２】
0005849646.tif 000013
【図１３】
0005849646.tif 000014
【図１４】
0005849646.tif 000015
【図１５】
0005849646.tif 000016
【図１６】
0005849646.tif 000017
【図１７】
0005849646.tif 000018
【図１８】
0005849646.tif 000019
【図１９】
0005849646.tif 000020
【図２０】
0005849646.tif 000021
【図２１】
0005849646.tif 000022
【図２２】
0005849646.tif 000023
【図２３】
0005849646.tif 000024
【図２４】
0005849646.tif 000025